(57)【特許請求の範囲】
【請求項１】
人の呼気に含まれるアンモニアを検出する一対のアンモニアセンサと、
前記一対のアンモニアセンサからの検出値に基づいて人を検知するコンピュータとを備え、
前記コンピュータは、前記一対のアンモニアセンサからの検出値に基づいて人が向いている方向を検知することを特徴とする人検知システム。
【請求項２】
人の呼気に含まれるアンモニアを検出する一対のアンモニアセンサと、
前記一対のアンモニアセンサからの検出値に基づいて人を検知するコンピュータとを備え、
前記一対のアンモニアセンサの一方は、表示装置の上方に設けられており、
前記一対のアンモニアセンサの他方は、前記表示装置の下方に設けられていることを特徴とする人検知システム。
【請求項３】
人の呼気に含まれるアンモニアを検出する一対のアンモニアセンサと、
前記一対のアンモニアセンサからの検出値に基づいて人を検知するコンピュータとを備え、
前記一対のアンモニアセンサの一方は、表示装置の上方に水平方向に沿って複数設けられており、
前記一対のアンモニアセンサの他方は、前記表示装置の下方に水平方向に沿って複数設けられていることを特徴とする人検知システム。
【請求項４】
前記コンピュータは、前記一対のアンモニアセンサからの検出値に基づいて人の存在を検知することを特徴とする、請求項１〜３のいずれか１項に記載の人検知システム。
【請求項５】
前記一対のアンモニアセンサの一方は、表示装置の上方に設けられており、
前記一対のアンモニアセンサの他方は、前記表示装置の下方に設けられていることを特徴とする、請求項１に記載の人検知システム。
【請求項６】
前記一対のアンモニアセンサの一方は、表示装置の上方に水平方向に沿って複数設けられており、
前記一対のアンモニアセンサの他方は、前記表示装置の下方に水平方向に沿って複数設けられていることを特徴とする、請求項１に記載の人検知システム。
【請求項７】
人の呼気に含まれるアンモニアを検出する一対のアンモニアセンサと、
前記一対のアンモニアセンサからの検出値に基づいて人を検知するコンピュータと、
人の呼気に含まれる硫化水素を検出する一対の硫化水素センサ又は人の呼気に含まれる水蒸気を検出する一対の湿度センサとを備え、
前記コンピュータは、前記一対の硫化水素センサ又は前記一対の湿度センサからの検出値に基づいて人の存在を検知し、前記一対のアンモニアセンサからの検出値に基づいて人が向いている方向を検知することを特徴とする人検知システム。
【請求項８】
前記一対のアンモニアセンサの一方は、表示装置の上方に設けられており、
前記一対のアンモニアセンサの他方は、前記表示装置の下方に設けられており、
前記一対の硫化水素センサの一方又は前記一対の湿度センサの一方は、前記表示装置の上方に設けられており、
前記一対の硫化水素センサの他方又は前記一対の湿度センサの他方は、前記表示装置の下方に設けられていることを特徴とする、請求項７に記載の人検知システム。
【請求項９】
前記一対のアンモニアセンサの一方は、表示装置の上方に水平方向に沿って複数設けられており、
前記一対のアンモニアセンサの他方は、前記表示装置の下方に水平方向に沿って複数設けられており、
前記一対の硫化水素センサの一方又は前記一対の湿度センサの一方は、前記表示装置の上方に水平方向に沿って複数設けられており、
前記一対の硫化水素センサの他方又は前記一対の湿度センサの他方は、前記表示装置の下方に水平方向に沿って複数設けられていることを特徴とする、請求項７に記載の人検知システム。
【請求項１０】
人の呼気に含まれるアンモニアを検出する一対のアンモニアセンサと、
前記一対のアンモニアセンサからの検出値に基づいて人を検知するコンピュータとを備え、
前記一対のアンモニアセンサの一方は、表示装置の上方に設けられており、
前記一対のアンモニアセンサの他方は、前記表示装置の下方に設けられており、
前記コンピュータは、前記一対のアンモニアセンサからの検出値に基づいて人を検知してからの経過時間に基づいて前記表示装置で表示している内容の評価情報を求めることを特徴とする人検知システム。
【請求項１１】
人の呼気に含まれるアンモニアを検出する一対のアンモニアセンサと、
前記一対のアンモニアセンサからの検出値に基づいて人を検知するコンピュータとを備え、
前記一対のアンモニアセンサの一方は、表示装置の上方に設けられており、
前記一対のアンモニアセンサの他方は、前記表示装置の下方に設けられており、
前記コンピュータは、前記一対のアンモニアセンサからの検出値に基づいて人を検知したある時間内における頻度に基づいて前記表示装置の設置箇所についての評価情報を求めることを特徴とする人検知システム。
【請求項１２】
人の呼気に含まれるアンモニアを検出する一対のアンモニアセンサと、
前記一対のアンモニアセンサからの検出値に基づいて人を検知するコンピュータとを備え、
前記一対のアンモニアセンサの一方は、表示装置の上方に水平方向に沿って複数設けられており、
前記一対のアンモニアセンサの他方は、前記表示装置の下方に水平方向に沿って複数設けられており、
前記コンピュータは、前記複数の一対のアンモニアセンサからの検出値に基づいて人を検知してからの経過時間に基づいて前記表示装置の複数の領域で表示している内容の評価情報を求めることを特徴とする人検知システム。
【請求項１３】
人の呼気に含まれるアンモニアを検出する一対のアンモニアセンサと、
前記一対のアンモニアセンサからの検出値に基づいて人を検知するコンピュータとを備え、
前記一対のアンモニアセンサの一方は、表示装置の上方に水平方向に沿って複数設けられており、
前記一対のアンモニアセンサの他方は、前記表示装置の下方に水平方向に沿って複数設けられており、
前記コンピュータは、前記複数の一対のアンモニアセンサからの検出値に基づいて人を検知したある時間内における頻度に基づいて前記表示装置の複数の領域で表示している内容の評価情報を求めることを特徴とする人検知システム。
【発明の詳細な説明】
【技術分野】
【０００１】
本発明は、人検知システムに関する。
【背景技術】
【０００２】
従来、人を検知するのに、例えば赤外線センサが用いられている。例えば、表示装置に赤外線センサを設けて、人の動作を検知し、これに基づいて情報を提供するものなどがある。
また、人を検知するのに、人の活動によって生じる水素ガスを検知する水素ガスセンサを用いることも提案されている。
【０００３】
なお、飲酒による酩酊度を検査すべく、アルコールガスセンサを用いて、人の呼気中のアルコール濃度を測定することも行なわれている。
【先行技術文献】
【特許文献】
【０００４】
【特許文献１】特開２００６−３０８１９号公報
【特許文献２】特開２００５−２２７００２号公報
【特許文献３】特開２００４−１４５４５８号公報
【発明の概要】
【発明が解決しようとする課題】
【０００５】
ところで、上述のように、赤外線センサや水素ガスセンサを用いて人を検知することは行なわれているものの、人の呼気に含まれるアンモニアを検出するアンモニアセンサを用いて人を検知することは行なわれていない。
そこで、アンモニアセンサを用いた人検知システムを実現したい。
【課題を解決するための手段】
【０００６】
本人検知システムは、人の呼気に含まれるアンモニアを検出する一対のアンモニアセンサと、一対のアンモニアセンサからの検出値に基づいて人を検知するコンピュータとを備え、コンピュータは、一対のアンモニアセンサからの検出値に基づいて人が向いている方向を検知する。
また、本人検知システムは、人の呼気に含まれるアンモニアを検出する一対のアンモニアセンサと、一対のアンモニアセンサからの検出値に基づいて人を検知するコンピュータとを備え、一対のアンモニアセンサの一方は、表示装置の上方に設けられており、一対のアンモニアセンサの他方は、表示装置の下方に設けられている。
また、本人検知システムは、人の呼気に含まれるアンモニアを検出する一対のアンモニアセンサと、一対のアンモニアセンサからの検出値に基づいて人を検知するコンピュータとを備え、一対のアンモニアセンサの一方は、表示装置の上方に水平方向に沿って複数設けられており、一対のアンモニアセンサの他方は、表示装置の下方に水平方向に沿って複数設けられている。
また、本人検知システムは、人の呼気に含まれるアンモニアを検出する一対のアンモニアセンサと、一対のアンモニアセンサからの検出値に基づいて人を検知するコンピュータと、人の呼気に含まれる硫化水素を検出する一対の硫化水素センサ又は人の呼気に含まれる水蒸気を検出する一対の湿度センサとを備え、コンピュータは、一対の硫化水素センサ又は一対の湿度センサからの検出値に基づいて人の存在を検知し、一対のアンモニアセンサからの検出値に基づいて人が向いている方向を検知する。
また、本人検知システムは、人の呼気に含まれるアンモニアを検出する一対のアンモニアセンサと、一対のアンモニアセンサからの検出値に基づいて人を検知するコンピュータとを備え、一対のアンモニアセンサの一方は、表示装置の上方に設けられており、一対のアンモニアセンサの他方は、表示装置の下方に設けられており、コンピュータは、一対のアンモニアセンサからの検出値に基づいて人を検知してからの経過時間に基づいて表示装置で表示している内容の評価情報を求める。
また、本人検知システムは、人の呼気に含まれるアンモニアを検出する一対のアンモニアセンサと、一対のアンモニアセンサからの検出値に基づいて人を検知するコンピュータとを備え、一対のアンモニアセンサの一方は、表示装置の上方に設けられており、一対のアンモニアセンサの他方は、表示装置の下方に設けられており、コンピュータは、一対のアンモニアセンサからの検出値に基づいて人を検知したある時間内における頻度に基づいて表示装置の設置箇所についての評価情報を求める。
また、本人検知システムは、人の呼気に含まれるアンモニアを検出する一対のアンモニアセンサと、一対のアンモニアセンサからの検出値に基づいて人を検知するコンピュータとを備え、一対のアンモニアセンサの一方は、表示装置の上方に水平方向に沿って複数設けられており、一対のアンモニアセンサの他方は、表示装置の下方に水平方向に沿って複数設けられており、コンピュータは、複数の一対のアンモニアセンサからの検出値に基づいて人を検知してからの経過時間に基づいて表示装置の複数の領域で表示している内容の評価情報を求める。
また、本人検知システムは、人の呼気に含まれるアンモニアを検出する一対のアンモニアセンサと、一対のアンモニアセンサからの検出値に基づいて人を検知するコンピュータとを備え、一対のアンモニアセンサの一方は、表示装置の上方に水平方向に沿って複数設けられており、一対のアンモニアセンサの他方は、表示装置の下方に水平方向に沿って複数設けられており、コンピュータは、複数の一対のアンモニアセンサからの検出値に基づいて人を検知したある時間内における頻度に基づいて表示装置の複数の領域で表示している内容の評価情報を求める。
【発明の効果】
【０００７】
したがって、本人検知システムによれば、アンモニアセンサを用いた人検知システムを実現することができるという利点がある。
【図面の簡単な説明】
【０００８】
【図１】本実施形態にかかる人検知システムの構成を示す模式図である。
【図２】（Ａ）、（Ｂ）は、本実施形態にかかる人検知システムによる人が向いている方向の検知について説明するための模式図である。
【図３】本実施形態にかかる人検知システムにおいて複数のアンモニアセンサを設ける場合の構成を示す模式図である。
【図４】本実施形態にかかる人検知システムにおいて硫化水素センサ又は湿度センサも設ける場合の構成を示す模式図である。
【図５】本実施形態にかかる人検知システムを表示装置に適用した場合の構成を示す模式図である。
【図６】本実施形態にかかる人検知システムを表示装置に適用した場合の構成を示す模式図である。
【図７】本実施形態にかかる人検知システムを表示装置に適用した場合において複数のアンモニアセンサを設ける場合の構成を示す模式図である。
【図８】本実施形態にかかる人検知システムを表示装置に適用した場合において硫化水素センサ又は湿度センサも設ける場合の構成を示す模式図である。
【図９】本実施形態にかかる人検知システムを表示装置に適用した場合において複数のアンモニアセンサ及び複数の硫化水素センサ又は複数の湿度センサを設ける場合の構成を示す模式図である。
【発明を実施するための形態】
【０００９】
以下、図面により、本発明の実施の形態にかかる人検知システムについて、図１〜図９を参照しながら説明する。
本実施形態にかかる人検知システムは、図１に示すように、人の呼気に含まれるアンモニアを検出する一対のアンモニアセンサ１Ａ，１Ｂと、一対のアンモニアセンサ１Ａ，１Ｂからの検出値に基づいて人を検知するコンピュータ２とを備える。なお、図１中、符号８は支持体であり、符号Ｐは人である。
【００１０】
ここで、一対のアンモニアセンサ１Ａ，１Ｂは、同一構成の２つのアンモニアセンサであることが好ましい。つまり、一対のアンモニアセンサ１Ａ，１Ｂは、検出対象物質であるアンモニアを選択的に検出することができるものであれば特に構成に制限はないが、２つを一組として使用するため、共通の構成を持つものである方が、検出精度の確保が容易であるため、好ましい。
【００１１】
コンピュータ２は、一対のアンモニアセンサ１Ａ，１Ｂに接続されており、一対のアンモニアセンサ１Ａ，１Ｂによって検出された検出値を取得し、これを処理するものである。ここでは、コンピュータ２は、Ａ／Ｄ変換器３、ＣＰＵ４を含むものである。そして、一対のアンモニアセンサ１Ａ，１Ｂによって検出された検出値、即ち、一対のアンモニアセンサ１Ａ，１Ｂからの出力信号（アナログ信号）を、Ａ／Ｄ変換器３でデジタル信号に変換した後、ＣＰＵ４によって、これらの信号を比較して、人を検知するようになっている。
【００１２】
なお、コンピュータ２は、Ａ／Ｄ変換器３、ＣＰＵ４などのプロセッサを含むものであれば良く、このほか、メモリ、通信回路などを含むものであっても良い。また、後述するように人検知システムを表示装置に適用する場合には、表示装置を制御するための制御回路を含むものとしても良い。また、例えば、コンピュータ２は、一対のアンモニアセンサ１Ａ，１Ｂに、有線又は無線で接続されていても良いし、ネットワークを介して接続されていても良い。また、例えば、コンピュータ２は、一対のアンモニアセンサ１Ａ，１Ｂに接続されたチップやモジュールであっても良いし、一対のアンモニアセンサ１Ａ，１Ｂに接続されたパーソナルコンピュータやサーバなどであっても良い。
【００１３】
特に、コンピュータ２は、一対のアンモニアセンサ１Ａ，１Ｂからの検出値に基づいて人の存在を検知するようになっている。
ここでは、アンモニアセンサ１Ａ，１Ｂは、人の呼気に含まれるアンモニアを検出するため、コンピュータ２は、一対のアンモニアセンサ１Ａ，１Ｂからの検出値に基づいて、人がアンモニアセンサ１Ａ，１Ｂの方向を向いて近接（接近）していることを検知することになる。
【００１４】
例えば、一対のアンモニアセンサ１Ａ，１Ｂの一方を上方に設け、他方を下方に設け、コンピュータ２が、一対のアンモニアセンサ１Ａ，１Ｂのいずれか一方のアンモニアセンサからの検出値が他方のアンモニアセンサからの検出値よりも大きいと判定した場合に、人が一対のアンモニアセンサ１Ａ，１Ｂの方向を向いて近接していることを検知することができる。
【００１５】
なお、これに限られるものではなく、例えば、一対のアンモニアセンサ１Ａ，１Ｂの一方を人が近接した場合に呼気に含まれるアンモニアが届く位置に設け、他方を人が近接した場合に呼気に含まれるアンモニアが届かない位置に設け、コンピュータ２が、一対のアンモニアセンサ１Ａ，１Ｂのいずれか一方のアンモニアセンサからの検出値が他方のアンモニアセンサからの検出値よりも大きいと判定した場合に、人が一対のアンモニアセンサ１Ａ，１Ｂの方向を向いて近接していることを検知することもできる。
【００１６】
なお、「コンピュータ２が、一対のアンモニアセンサ１Ａ，１Ｂのいずれか一方のアンモニアセンサからの検出値が他方のアンモニアセンサからの検出値よりも大きいと判定した場合」とは、「コンピュータ２が、一対のアンモニアセンサ１Ａ，１Ｂからの検出値に差が生じていると判定した場合」である。このため、コンピュータ２は、一対のアンモニアセンサ１Ａ，１Ｂからの検出値の差に基づいて人の存在を検知するようになっている。なお、一対のアンモニアセンサ１Ａ，１Ｂからの検出値の差は、検出値の変動範囲を超える差である。
【００１７】
また、コンピュータ２は、一対のアンモニアセンサ１Ａ，１Ｂからの検出値に基づいて人が向いている方向を検知するようになっている。このように、コンピュータ２は、上述の人の存在を検知する機能、即ち、人感センサとしての機能のほかに、人が向いている方向を検知する機能も備える。
例えば、図２（Ａ）、図２（Ｂ）に示すように、一対のアンモニアセンサ１Ａ，１Ｂの一方を上方に設け、他方を下方に設けることで、人が正面又は下方を向いているか、上方を向いているかを検知することができる。なお、図２（Ａ）、図２（Ｂ）中、符号８は支持体であり、符号Ｐは人である。
【００１８】
つまり、アンモニアは空気より軽いが、図２（Ａ）に示すように、人が正面又は下方を向いている場合は、呼気に含まれるアンモニアは呼気に沿って下方に流れる量が多くなる。
この場合、上下に設けられた一対のアンモニアセンサ１Ａ，１Ｂのうち、下方に設けられたアンモニアセンサ１Ｂからの検出値（応答信号強度）が、上方に設けられたアンモニアセンサ１Ａからの検出値よりも大きくなる。
【００１９】
このため、コンピュータ２は、下方に設けられたアンモニアセンサ１Ｂからの検出値が、上方に設けられたアンモニアセンサ１Ａからの検出値よりも大きいと判定した場合に、人が正面又は下方を向いていることを検知することができる。
なお、「コンピュータ２が、下方に設けられたアンモニアセンサ１Ｂからの検出値が、上方に設けられたアンモニアセンサ１Ａからの検出値よりも大きいと判定した場合」とは、「コンピュータ２が、一対のアンモニアセンサ１Ａ，１Ｂからの検出値に差が生じていると判定した場合」である。このため、コンピュータ２は、一対のアンモニアセンサ１Ａ，１Ｂからの検出値の差に基づいて人が向いている方向を検知するようになっている。なお、一対のアンモニアセンサ１Ａ，１Ｂからの検出値の差は、検出値の変動範囲を超える差である。
【００２０】
一方、図２（Ｂ）に示すように、人が上方を向いている場合は、呼気の向きは水平に近いため、呼気に含まれるアンモニアは上方に向かう量が多くなる。
この場合、上下に設けられた一対のアンモニアセンサ１Ａ，１Ｂのうち、上方に設けられたアンモニアセンサ１Ａからの検出値が、下方に設けられたアンモニアセンサ１Ｂからの検出値よりも大きくなる。
【００２１】
このため、コンピュータ２は、上方に設けられたアンモニアセンサ１Ａからの検出値が、下方に設けられたアンモニアセンサ１Ｂからの検出値よりも大きいと判定した場合に、人が上方を向いていることを検知することができる。
なお、「コンピュータ２が、上方に設けられたアンモニアセンサ１Ａからの検出値が、下方に設けられたアンモニアセンサ１Ｂからの検出値よりも大きいと判定した場合」とは、「コンピュータ２が、一対のアンモニアセンサ１Ａ，１Ｂからの検出値に差が生じていると判定した場合」である。このため、コンピュータ２は、一対のアンモニアセンサ１Ａ，１Ｂからの検出値の差に基づいて人が向いている方向を検知するようになっている。なお、一対のアンモニアセンサ１Ａ，１Ｂからの検出値の差は、検出値の変動範囲を超える差である。
【００２２】
また、例えば、図３に示すように、一対のアンモニアセンサ１Ａ，１Ｂの一方を上方に水平方向に沿って複数設け、他方を下方に水平方向に沿って複数設けることで、人が正面又は下方を向いているか、上方を向いているかだけでなく、左右方向（水平方向；横方向）のどの方向を向いているかも検知することができる。なお、図３中、符号８は支持体である。
【００２３】
また、本実施形態にかかる人検知システムは、図４に示すように、さらに、人の呼気に含まれる硫化水素を検出する一対の硫化水素センサ５Ａ，５Ｂ又は人の呼気に含まれる水蒸気を検出する一対の湿度センサ６Ａ，６Ｂを備えるものとしても良い。なお、図４中、符号８は支持体であり、符号Ｐは人である。
ここで、一対の硫化水素センサ５Ａ，５Ｂは、同一構成の２つの硫化水素センサであることが好ましい。つまり、一対の硫化水素センサ５Ａ，５Ｂは、検出対象物質である硫化水素を選択的に検出することができるものであれば特に構成に制限はないが、２つを一組として使用するため、共通の構成を持つものである方が、検出精度の確保が容易であるため、好ましい。また、一対の湿度センサ６Ａ，６Ｂは、同一構成の２つの湿度センサであることが好ましい。つまり、一対の湿度センサ（水蒸気センサ）６Ａ，６Ｂは、検出対象物質である水蒸気を選択的に検出することができるものであれば特に構成に制限はないが、２つを一組として使用するため、共通の構成を持つものである方が、検出精度の確保が容易であるため、好ましい。
【００２４】
この場合、コンピュータ２は、一対の硫化水素センサ５Ａ，５Ｂ又は一対の湿度センサ６Ａ，６Ｂからの検出値に基づいて人の存在を検知し、一対のアンモニアセンサ１Ａ，１Ｂからの検出値に基づいて人が向いている方向を検知するようにすれば良い。つまり、コンピュータ２は、一対のアンモニアセンサ１Ａ，１Ｂからの検出値に基づいて人の存在を検知するのに代えて、一対の硫化水素センサ５Ａ，５Ｂ又は一対の湿度センサ６Ａ，６Ｂからの検出値に基づいて人の存在を検知するようにしても良い。
【００２５】
このように、一対の硫化水素センサ５Ａ，５Ｂ又は一対の湿度センサ６Ａ，６Ｂからの検出値に基づいて人の存在を検知する場合、硫化水素センサ５Ａ，５Ｂ又は湿度センサ６Ａ，６Ｂは、人の呼気に含まれる硫化水素又は水蒸気を検出するため、コンピュータ２は、一対の硫化水素センサ５Ａ，５Ｂ又は一対の湿度センサ６Ａ，６Ｂからの検出値に基づいて、人が硫化水素センサ５Ａ，５Ｂ又は湿度センサ６Ａ，６Ｂの方向を向いて近接していることを検知することになる。
【００２６】
例えば、一対の硫化水素センサ５Ａ，５Ｂの一方又は一対の湿度センサ６Ａ，６Ｂの一方を上方に設け、他方を下方に設け、コンピュータ２が、一対の硫化水素センサ５Ａ，５Ｂ又は一対の湿度センサ６Ａ，６Ｂのいずれか一方の硫化水素センサ又は湿度センサからの検出値が他方の硫化水素センサ又は湿度センサの検出値よりも大きいと判定した場合に、人が一対の硫化水素センサ又は一対の湿度センサの方向を向いて近接していることを検知することができる。
【００２７】
なお、「コンピュータ２が、一対の硫化水素センサ５Ａ，５Ｂ又は一対の湿度センサ６Ａ，６Ｂのいずれか一方の硫化水素センサ又は湿度センサからの検出値が他方の硫化水素センサ又は湿度センサからの検出値よりも大きいと判定した場合」とは、「コンピュータ２が、一対の硫化水素センサ５Ａ，５Ｂ又は一対の湿度センサ６Ａ，６Ｂからの検出値に差が生じていると判定した場合」である。このため、コンピュータ２は、一対の硫化水素センサ５Ａ，５Ｂ又は一対の湿度センサ６Ａ，６Ｂからの検出値の差に基づいて人の存在を検知するようになっている。なお、一対の硫化水素センサ５Ａ，５Ｂ又は一対の湿度センサ６Ａ，６Ｂからの検出値の差は、検出値の変動範囲を超える差である。
【００２８】
つまり、硫化水素や水蒸気（水蒸気が凝集した水）は空気より重いため、呼気に含まれる硫化水素や水蒸気は下方に流れる。
この場合、上下に設けられた一対の硫化水素センサ５Ａ，５Ｂ又は一対の湿度センサ６Ａ，６Ｂのうち、下方に設けられた硫化水素センサ又は湿度センサからの検出値（応答信号強度）が、上方に設けられた硫化水素センサ又は湿度センサからの検出値よりも大きくなる。
【００２９】
このため、コンピュータ２は、下方に設けられた硫化水素センサ５Ｂ又は湿度センサ６Ｂからの検出値が、上方に設けられた硫化水素センサ５Ａ又は湿度センサ６Ａからの検出値よりも大きいと判定した場合に、人が一対の硫化水素センサ５Ａ，５Ｂ又は一対の湿度センサ６Ａ，６Ｂの方向を向いて近接していることを検知することができる。
なお、「コンピュータ２は、下方に設けられた硫化水素センサ５Ｂ又は湿度センサ６Ｂからの検出値が、上方に設けられた硫化水素センサ５Ａ又は湿度センサ６Ａからの検出値よりも大きいと判定した場合」とは、「コンピュータ２は、一対の硫化水素センサ５Ａ，５Ｂ又は一対の湿度センサ６Ａ，６Ｂからの検出値に差が生じていると判定した場合」である。このため、コンピュータ２は、一対の硫化水素センサ５Ａ，５Ｂ又は一対の湿度センサ６Ａ，６Ｂからの検出値の差に基づいて人の存在を検知するようになっている。なお、一対の硫化水素センサ５Ａ，５Ｂ又は一対の湿度センサ６Ａ，６Ｂからの検出値の差は、検出値の変動範囲を超える差である。
【００３０】
なお、これに限られるものではなく、例えば、一対の硫化水素センサ５Ａ，５Ｂの一方又は一対の湿度センサ６Ａ，６Ｂの一方を人が近接した場合に呼気に含まれる硫化水素又は水蒸気が届く位置に設け、他方を人が近接した場合に呼気に含まれる硫化水素又は水蒸気が届かない位置に設け、コンピュータ２が、一対の硫化水素センサ５Ａ，５Ｂ又は一対の湿度センサ６Ａ，６Ｂのいずれか一方の硫化水素センサ又は湿度センサからの検出値が他方の硫化水素センサ又は湿度センサの検出値よりも大きいと判定した場合に、人が一対の硫化水素センサ５Ａ，５Ｂ又は湿度センサ６Ａ，６Ｂの方向を向いて近接していることを検知することができる。
【００３１】
また、例えば、上述の複数のアンモニアセンサ１Ａ，１Ｂを設ける場合と同様に、一対の硫化水素センサ５Ａ，５Ｂの一方又は一対の湿度センサ６Ａ，６Ｂの一方を上方に水平方向に沿って複数設け、他方を下方に水平方向に沿って複数設けることで、人が近接しているかだけでなく、左右方向（水平方向；横方向）のどの方向を向いているかも検知することができる。
【００３２】
したがって、本実施形態にかかる人検知システムによれば、アンモニアセンサ１Ａ，１Ｂを用いた人検知システムを実現することができるという利点がある。
このような人検知システムは、例えば、液晶ディスプレイや電子ペーパーなどの電子デバイスからなる表示装置（電子表示装置）、商品の陳列棚、絵画やポスターの額縁などに適用することができる。このほか、例えば、机に組み込んで在席しているかどうかを検知するなどの用途もある。
【００３３】
以下、本実施形態の人検知システムを表示装置に適用する場合を例に挙げて、具体的に説明する。
ここでは、図５、図６に示すように、一対のアンモニアセンサ１Ａ，１Ｂの一方を表示装置７の上方に設け、他方を表示装置７の下方に設ける場合を例に挙げて説明する。ここでは、表示装置７は、ポスター同様に壁面に設置する表示装置であり、この場合、図６に示すように、表示装置７の前面方向が検知対象（測定対象）となる。なお、図６中、符号Ｐは人である。
【００３４】
ここで、図５、図６に示すように、表示装置７の上方に設けられる一方のアンモニアセンサ１Ａは、例えば、表示装置７の上部に設ければ良い。この場合、一方のアンモニアセンサ１Ａは、表示装置７に表示されている表示物を見る人の頭部よりも上方に位置することになる。つまり、一方のアンモニアセンサ１Ａは、人の身長を超えた高さ位置に設けられることになる。なお、一方のアンモニアセンサ１Ａは、表示装置７の上方に設ければ良く、例えば天井近傍に設けても良い。
【００３５】
一方、表示装置７の下方に設けられる他方のアンモニアセンサ１Ｂは、例えば、表示装置７の下部に設ければ良い。この場合、他方のアンモニアセンサ１Ｂは、表示装置７に表示されている表示物を見る人の頭部よりも下方に位置することになる。つまり、他方のアンモニアセンサ１Ｂは、人の頭部の高さ以下の高さに設けられることになる。なお、他方のアンモニアセンサ１Ｂは、表示装置７の下方に設ければ良く、例えば床面近傍に設けても良い。
【００３６】
そして、コンピュータ２が、一対のアンモニアセンサ１Ａ，１Ｂからの検出値（指示値；計測値）に基づいて人を検知するようにすれば良い。つまり、コンピュータ２が、一対のアンモニアセンサ１Ａ，１Ｂからの検出値に基づいて人の存在を検知するようにすれば良い。また、コンピュータ２が、一対のアンモニアセンサ１Ａ，１Ｂからの検出値に基づいて人が向いている方向を検知するようにすれば良い。
【００３７】
これにより、人が表示装置７の方を向いて近接しているかだけでなく、人が表示装置７に表示されている表示物の上下方向のどちらの方向を向いているのかも検知することが可能となる。例えば人が表示物のどの部分に注目しているかという情報を得ることも可能である。この結果、例えば広告表示に用いている場合には、情報入手者の挙動に対応して、効果が高い表示方法を選択することが可能となる。
【００３８】
また、人が表示装置７の方を向いて近接していると判定された状態、あるいは、人が表示装置７に表示されている表示物の上下方向のいずれかの方向を向いていると判定された状態が長く続くほど、表示物の内容に魅力が強いと考えられるため、この状態の持続時間を、表示内容の評価値として用いることができる。
このため、例えば、人が表示装置７の方を向いて近接していると判定された状態の持続時間を、表示物の評価値として求めるようにしても良い。また、例えば、人が表示装置７の上下方向のいずれかの方向を向いていると判定された状態の持続時間を、表示物の上下の領域の評価値として求めるようにしても良い。この場合、コンピュータ２が、一対のアンモニアセンサ１Ａ，１Ｂからの検出値に基づいて人を検知してからの経過時間に基づいて表示装置で表示している内容の評価情報を求めるようにすれば良い。
【００３９】
また、人が表示装置７の方を向いて近接していると判定された頻度が高いほど、表示装置７が設置された場所が、その表示物を表示するのに適していることを示していると考えられるため、この頻度を、表示装置７の設置箇所の評価値として用いることができる。
このため、例えば、人が表示装置７の方を向いて近接していると判定された頻度を、表示装置７の設置箇所の評価値として求めるようにしても良い。この場合、コンピュータ２が、一対のアンモニアセンサ１Ａ，１Ｂからの検出値に基づいて人を検知したある時間内における頻度に基づいて表示装置７の設置箇所についての評価情報を求めるようにすれば良い。
【００４０】
ところで、図７に示すように、一対のアンモニアセンサ１Ａ，１Ｂの一方を表示装置７の上方に水平方向（左右方向）に沿って複数設け、他方を表示装置７の下方に水平方向（左右方向）に沿って複数設けても良い。これにより、人が表示装置７に表示されている表示物の上下方向及び左右方向のどちらの方向を向いているのかを詳細に検知することが可能となる。例えば人が表示物のどの部分に注目しているかという有益な情報を直接的に得ることも可能である。この結果、例えば広告表示に用いている場合には、情報入手者の挙動に対応して、効果が高い表示方法を選択することが可能となる。
【００４１】
この場合、コンピュータ２が、複数の一対のアンモニアセンサ１Ａ，１Ｂからの検出値に基づいて人を検知してからの経過時間に基づいて表示装置７の複数の領域で表示している内容の評価情報を求めるようにしても良い。例えば、人が表示装置７の複数の領域のいずれかの領域の方を向いていると判定された状態の持続時間を、表示物の各領域の評価値として求めるようにしても良い。
【００４２】
また、コンピュータ２が、複数の一対のアンモニアセンサ１Ａ，１Ｂからの検出値に基づいて人を検知したある時間内における頻度に基づいて表示装置７の複数の領域で表示している内容の評価情報を求めるようにしても良い。例えば、人が表示装置７の複数の領域のいずれかの領域の方を向いていると判定された頻度を、表示物の各領域の評価値として求めるようにしても良い。
【００４３】
また、人が表示装置７の複数の領域のいずれかの領域の方を向いていると判定された状態の持続時間も頻度も、表示物の各領域の魅力に対応していると考えられるため、この持続時間と頻度との積を、表示物の各領域の評価値として用いることができる。
このため、例えば、人が表示装置７の複数の領域のいずれかの領域の方を向いていると判定された状態の持続時間と頻度との積を、表示物の各領域の評価値として求めるようにしても良い。この場合、コンピュータ２が、複数の一対のアンモニアセンサ１Ａ，１Ｂからの検出値に基づいて人を検知してからの経過時間に基づいて表示装置７の複数の領域で表示している内容の評価情報を求めるとともに、複数の一対のアンモニアセンサ１Ａ，１Ｂからの検出値に基づいて人を検知したある時間内における頻度に基づいて表示装置７の複数の領域で表示している内容の評価情報を求めるようにすれば良い。
【００４４】
また、図８に示すように、人検知システムを、一対の硫化水素センサ５Ａ，５Ｂ又は一対の湿度センサ６Ａ，６Ｂをさらに備えるものとする場合には、一対の硫化水素センサ５Ａ，５Ｂの一方又は一対の湿度センサ６Ａ，６Ｂの一方を、表示装置７の上方に設け、他方を表示装置７の下方に設ければ良い。
また、上述の複数のアンモニアセンサ１Ａ，１Ｂを設ける場合と同様に、一対の硫化水素センサ５Ａ，５Ｂの一方又は一対の湿度センサ６Ａ，６Ｂの一方を表示装置７の上方に水平方向に沿って複数設け、他方を表示装置７の下方に水平方向に沿って複数設けても良い。つまり、図９に示すように、一対のアンモニアセンサ１Ａ，１Ｂの一方を、表示装置７の上方に水平方向に沿って複数設け、一対のアンモニアセンサ１Ａ，１Ｂの他方を、表示装置７の下方に水平方向に沿って複数設けるとともに、一対の硫化水素センサ５Ａ，５Ｂの一方又は一対の湿度センサ６Ａ，６Ｂの一方を、表示装置７の上方に水平方向に沿って複数設け、一対の硫化水素センサ５Ａ，５Ｂの他方又は一対の湿度センサ６Ａ，６Ｂの他方を、表示装置７の下方に水平方向に沿って複数設けても良い。
【００４５】
このような場合、コンピュータ２が、一対の硫化水素センサ５Ａ，５Ｂ又は一対の湿度センサ６Ａ，６Ｂからの検出値に基づいて人の存在を検知し、一対のアンモニアセンサ１Ａ，１Ｂからの検出値に基づいて人が向いている方向を検知するようにすれば良い。
また、コンピュータ２が、一対のアンモニアセンサ１Ａ，１Ｂ、一対の硫化水素センサ５Ａ，５Ｂ又は一対の湿度センサ６Ａ，６Ｂからの検出値に基づいて人を検知してからの経過時間に基づいて表示装置７で表示している内容の評価情報を求めるようにしても良い。
【００４６】
また、コンピュータ２が、一対のアンモニアセンサ１Ａ，１Ｂ、一対の硫化水素センサ５Ａ，５Ｂ又は一対の湿度センサ６Ａ，６Ｂからの検出値に基づいて人を検知したある時間内における頻度に基づいて表示装置７の設置箇所についての評価情報を求めるようにしても良い。
また、一対のアンモニアセンサ１Ａ，１Ｂの一方を、表示装置７の上方に水平方向に沿って複数設け、一対のアンモニアセンサ１Ａ，１Ｂの他方を、表示装置７の下方に水平方向に沿って複数設け、一対の硫化水素センサ５Ａ，５Ｂの一方又は一対の湿度センサ６Ａ，６Ｂの一方を、表示装置７の上方に水平方向に沿って複数設け、一対の硫化水素センサ５Ａ，５Ｂの他方又は一対の湿度センサ６Ａ，６Ｂの他方を、表示装置７の下方に水平方向に沿って複数設け、コンピュータ２が、複数の一対のアンモニアセンサ１Ａ，１Ｂ、複数の一対の硫化水素センサ５Ａ，５Ｂ又は複数の一対の湿度センサ６Ａ，６Ｂからの検出値に基づいて人を検知してからの経過時間に基づいて表示装置７の複数の領域で表示している内容の評価情報を求めるようにしても良い。
【００４７】
また、一対のアンモニアセンサ１Ａ，１Ｂの一方を、表示装置７の上方に水平方向に沿って複数設け、一対のアンモニアセンサ１Ａ，１Ｂの他方を、表示装置７の下方に水平方向に沿って複数設け、一対の硫化水素センサ５Ａ，５Ｂの一方又は一対の湿度センサ６Ａ，６Ｂの一方を、表示装置７の上方に水平方向に沿って複数設け、一対の硫化水素センサ５Ａ，５Ｂの他方又は一対の湿度センサ６Ａ，６Ｂの他方を、表示装置７の下方に水平方向に沿って複数設け、コンピュータ２が、複数の一対のアンモニアセンサ１Ａ，１Ｂ、複数の一対の硫化水素センサ５Ａ，５Ｂ又は複数の一対の湿度センサ６Ａ，６Ｂからの検出値に基づいて人を検知したある時間内における頻度に基づいて表示装置７の複数の領域で表示している内容の評価情報を求めるようにしても良い。
【００４８】
ところで、上述のように、本実施形態の人検知システムを表示装置に適用しているのは、以下の理由による。
例えば、液晶ディスプレイや電子ペーパーなどの電子デバイスからなる表示装置（電子表示装置；電子表示デバイス）の発達・低価格化により、ポスターや案内表示など、従来印刷物が使われてきた表示物にも、電子表示装置が用いられる機会が増えている。
【００４９】
このような電子表示装置を表示に用いることで、情報入手者に対して訴求力がある動画表示を行なう、あるいは、状況に応じて詳細な説明の表示に切り替えるというような多様な方法で表示物を提供できるようになる。
ところで、このような電子表示装置に、人の存在や動作を検知するセンサを組み合わせ、これらから得られる情報を用いることで、表示物にさらに価値を付加することが可能である。
【００５０】
また、このような電子表示装置には、情報端末機能を持たせることも容易である。このため、単に効果的な表示を行なうだけでなく、表示情報の提供者に対して、情報入手者の反応に関する情報を提供するように構成することも可能である。
しかしながら、人の動作に関する詳細な情報を、効率よく取得可能なセンサの選択肢は、現在でも限られている。
【００５１】
人の存在や動きの判別には、赤外線センサを用いることができるが、単に赤外線を観測するだけでは、人が向いている方向に関する情報を得ることは困難である。
一方で、人が表示物のどの部位に視線を向けているかという情報は、視線センサを用いて得ることができる。
しかしながら、現在入手可能な視線センサは、動画の撮影とその解析を行なうことが必要なものであり、画像認識を行なう時点で、必然的に人の顔形という個人情報を扱うことになる。
【００５２】
また、ポスターを置き換えることを目的とする電子表示装置としては、構成が複雑に過ぎるという短所もある。
そこで、上述のように、本実施形態の人検知システムを表示装置７に適用している。これにより、表示物の視聴者が近くに存在するかどうかを判別して表示効果の向上に利用するほか、視聴者が表示物のどの部位に、どの程度注目しているかを判別することで、表示物の価値評価を行なうことが可能な表示装置を簡便な構成で実現することができる。また、例えば広告などの表示物の価値を高める表示内容や表示方法が選択可能である表示装置を、極めて簡素かつ低価格で実現可能となる。特に、高感度・低消費電力のアンモニアセンサや硫化水素センサ又は湿度センサを用いることで、より低消費電力・低コストで実現可能となる。また、検出対象物が呼気成分のごく一部にすぎないため、個人情報を用いることなく、表示物の効果に関わる情報を入手することが可能となる。このため、情報入手者の反応といった通常は個人情報と切り離して扱うことが難しい情報を、情報入手者を不要な危険に曝すことなく扱うことが可能となる。
【００５３】
なお、本発明は、上述した実施形態に記載した構成に限定されるものではなく、本発明の趣旨を逸脱しない範囲で種々変形することが可能である。
以下、上述の実施形態に関し、更に、付記を開示する。
（付記１）
人の呼気に含まれるアンモニアを検出する一対のアンモニアセンサと、
前記一対のアンモニアセンサからの検出値に基づいて人を検知するコンピュータとを備えることを特徴とする人検知システム。
【００５４】
（付記２）
前記コンピュータは、前記一対のアンモニアセンサからの検出値に基づいて人の存在を検知することを特徴とする、付記１に記載の人検知システム。
（付記３）
前記コンピュータは、前記一対のアンモニアセンサからの検出値に基づいて人が向いている方向を検知することを特徴とする、付記１又は２に記載の人検知システム。
【００５５】
（付記４）
前記一対のアンモニアセンサの一方は、表示装置の上方に設けられており、
前記一対のアンモニアセンサの他方は、前記表示装置の下方に設けられていることを特徴とする、付記１〜３のいずれか１項に記載の人検知システム。
（付記５）
前記一対のアンモニアセンサの一方は、表示装置の上方に水平方向に沿って複数設けられており、
前記一対のアンモニアセンサの他方は、前記表示装置の下方に水平方向に沿って複数設けられていることを特徴とする、付記１〜３のいずれか１項に記載の人検知システム。
【００５６】
（付記６）
人の呼気に含まれる硫化水素を検出する一対の硫化水素センサ又は人の呼気に含まれる水蒸気を検出する一対の湿度センサを備え、
前記コンピュータは、前記一対の硫化水素センサ又は前記一対の湿度センサからの検出値に基づいて人の存在を検知し、前記一対のアンモニアセンサからの検出値に基づいて人が向いている方向を検知することを特徴とする、付記１に記載の人検知システム。
【００５７】
（付記７）
前記一対のアンモニアセンサの一方は、表示装置の上方に設けられており、
前記一対のアンモニアセンサの他方は、前記表示装置の下方に設けられており、
前記一対の硫化水素センサの一方又は前記一対の湿度センサの一方は、前記表示装置の上方に設けられており、
前記一対の硫化水素センサの他方又は前記一対の湿度センサの他方は、前記表示装置の下方に設けられていることを特徴とする、付記６に記載の人検知システム。
【００５８】
（付記８）
前記一対のアンモニアセンサの一方は、表示装置の上方に水平方向に沿って複数設けられており、
前記一対のアンモニアセンサの他方は、前記表示装置の下方に水平方向に沿って複数設けられており、
前記一対の硫化水素センサの一方又は前記一対の湿度センサの一方は、前記表示装置の上方に水平方向に沿って複数設けられており、
前記一対の硫化水素センサの他方又は前記一対の湿度センサの他方は、前記表示装置の下方に水平方向に沿って複数設けられていることを特徴とする、付記６に記載の人検知システム。
【００５９】
（付記９）
前記一対のアンモニアセンサの一方は、表示装置の上方に設けられており、
前記一対のアンモニアセンサの他方は、前記表示装置の下方に設けられており、
前記コンピュータは、前記一対のアンモニアセンサからの検出値に基づいて人を検知してからの経過時間に基づいて前記表示装置で表示している内容の評価情報を求めることを特徴とする、付記１に記載の人検知システム。
【００６０】
（付記１０）
前記一対のアンモニアセンサの一方は、表示装置の上方に設けられており、
前記一対のアンモニアセンサの他方は、前記表示装置の下方に設けられており、
前記コンピュータは、前記一対のアンモニアセンサからの検出値に基づいて人を検知したある時間内における頻度に基づいて前記表示装置の設置箇所についての評価情報を求めることを特徴とする、付記１に記載の人検知システム。
【００６１】
（付記１１）
前記一対のアンモニアセンサの一方は、表示装置の上方に水平方向に沿って複数設けられており、
前記一対のアンモニアセンサの他方は、前記表示装置の下方に水平方向に沿って複数設けられており、
前記コンピュータは、前記複数の一対のアンモニアセンサからの検出値に基づいて人を検知してからの経過時間に基づいて前記表示装置の複数の領域で表示している内容の評価情報を求めることを特徴とする、付記１に記載の人検知システム。
【００６２】
（付記１２）
前記一対のアンモニアセンサの一方は、表示装置の上方に水平方向に沿って複数設けられており、
前記一対のアンモニアセンサの他方は、前記表示装置の下方に水平方向に沿って複数設けられており、
前記コンピュータは、前記複数の一対のアンモニアセンサからの検出値に基づいて人を検知したある時間内における頻度に基づいて前記表示装置の複数の領域で表示している内容の評価情報を求めることを特徴とする、付記１に記載の人検知システム。
【００６３】
（付記１３）
前記一対のアンモニアセンサの一方は、表示装置の上方に設けられており、
前記一対のアンモニアセンサの他方は、前記表示装置の下方に設けられており、
前記一対の硫化水素センサの一方又は前記一対の湿度センサの一方は、前記表示装置の上方に設けられており、
前記一対の硫化水素センサの他方又は前記一対の湿度センサの他方は、前記表示装置の下方に設けられており、
前記コンピュータは、前記一対のアンモニアセンサ、前記一対の硫化水素センサ又は前記一対の湿度センサからの検出値に基づいて人を検知してからの経過時間に基づいて前記表示装置で表示している内容の評価情報を求めることを特徴とする、付記６に記載の人検知システム。
【００６４】
（付記１４）
前記一対のアンモニアセンサの一方は、表示装置の上方に設けられており、
前記一対のアンモニアセンサの他方は、前記表示装置の下方に設けられており、
前記一対の硫化水素センサの一方又は前記一対の湿度センサの一方は、前記表示装置の上方に設けられており、
前記一対の硫化水素センサの他方又は前記一対の湿度センサの他方は、前記表示装置の下方に設けられており、
前記コンピュータは、前記一対のアンモニアセンサ、前記一対の硫化水素センサ又は前記一対の湿度センサからの検出値に基づいて人を検知したある時間内における頻度に基づいて前記表示装置の設置箇所についての評価情報を求めることを特徴とする、付記６に記載の人検知システム。
【００６５】
（付記１５）
前記一対のアンモニアセンサの一方は、表示装置の上方に水平方向に沿って複数設けられており、
前記一対のアンモニアセンサの他方は、前記表示装置の下方に水平方向に沿って複数設けられており、
前記一対の硫化水素センサの一方又は前記一対の湿度センサの一方は、前記表示装置の上方に水平方向に沿って複数設けられており、
前記一対の硫化水素センサの他方又は前記一対の湿度センサの他方は、前記表示装置の下方に水平方向に沿って複数設けられており、
前記コンピュータは、前記複数の一対のアンモニアセンサ、前記複数の一対の硫化水素センサ又は前記複数の一対の湿度センサからの検出値に基づいて人を検知してからの経過時間に基づいて前記表示装置の複数の領域で表示している内容の評価情報を求めることを特徴とする、付記６に記載の人検知システム。
【００６６】
（付記１６）
前記一対のアンモニアセンサの一方は、表示装置の上方に水平方向に沿って複数設けられており、
前記一対のアンモニアセンサの他方は、前記表示装置の下方に水平方向に沿って複数設けられており、
前記一対の硫化水素センサの一方又は前記一対の湿度センサの一方は、前記表示装置の上方に水平方向に沿って複数設けられており、
前記一対の硫化水素センサの他方又は前記一対の湿度センサの他方は、前記表示装置の下方に水平方向に沿って複数設けられており、
前記コンピュータは、前記複数の一対のアンモニアセンサ、前記複数の一対の硫化水素センサ又は前記複数の一対の湿度センサからの検出値に基づいて人を検知したある時間内における頻度に基づいて前記表示装置の複数の領域で表示している内容の評価情報を求めることを特徴とする、付記６に記載の人検知システム。
【符号の説明】
【００６７】
１Ａ，１Ｂ  アンモニアセンサ
２  コンピュータ
３  ＡＤ変換器
４  ＣＰＵ
５Ａ，５Ｂ  硫化水素センサ
６Ａ，６Ｂ  湿度センサ
７  表示装置
８  支持体
【図１】
0006547442.tif 000002
【図２】
0006547442.tif 000003
【図３】
0006547442.tif 000004
【図４】
0006547442.tif 000005
【図５】
0006547442.tif 000006
【図６】
0006547442.tif 000007
【図７】
0006547442.tif 000008
【図８】
0006547442.tif 000009
【図９】
0006547442.tif 000010